(57)【要約】【課題】  抜き取り装置を設置することにより、小型同軸ケーブルコネクタの製品体積が小さいために施力が難しく、接続先の座体との分離が困難な状況を解決する、抜き取り装置を備えた小型同軸ケーブルコネクタの提供。        【解決手段】  信号端子、絶縁本体、導体及び抜き取り装置から成り、前記信号端子は同軸ケーブルを挟んで保持し、前記絶縁本体内に設置され、前記導体は前記絶縁本体を収納する筒状部と、該筒状部に向って折り曲げることのできる外体部を備え、さらに、該筒状部の側面に少なくとも一つの軸孔を設け、前記抜き取り装置の末端に前記軸孔に相対する突起部を設置し、該突起部を前記軸孔に軸着し、該抜き取り装置とコネクタ上端に抜き取り空間を形成し、使用者が指又は先の尖った工具を該抜き取り空間内に穿入し、該抜き取り装置を上方向に引くことにより、コネクタ全体を接続先である座体から安定した状態で抜き取る。【選択図】  図４
2005142035.tif 000002
【特許請求の範囲】
【請求項１】
抜き取り装置を備えた小型同軸ケーブルコネクタであって、信号端子と、絶縁本体、導体及び抜き取り装置から成り、前記信号端子は、同軸ケーブルを挟んで前記絶縁本体内に設置され、前記導体は前記絶縁本体を収納する筒状部と、該筒状部に向って折り曲げられる外体部を備え、そのうち、前記筒状部側面に少なくとも一つの軸孔を設け、且つ、前記抜き取り装置末端部に、前記軸孔に相対する突起部をそれぞれ設置し、該突起部を前記軸孔に軸着し、該抜き取り装置とコネクタ上部で引き抜き空間を形成したことを特徴とする、小型同軸ケーブルコネクタ。
【請求項２】
前記抜き取り装置が、円形、方形、楕円形、リング形のうちの一つであり、引く力を受けることができる形状である、請求項１に記載の小型同軸ケーブルコネクタ。
【請求項３】
前記抜き取り装置の材質が、金属、プラスチック、ゴム、弾性線材のうちの一つであり、引く力を受けることができる形状である、請求項１に記載の小型同軸ケーブルコネクタ。
【請求項４】
前記抜き取り装置の一端に、施力部を設けた、請求項１に記載の小型同軸ケーブルコネクタ。
【請求項５】
抜き取り装置を備えた小型同軸ケーブルコネクタであって、信号端子と、絶縁本体、外部導体、カバー体及び抜き取り装置から成り、前記信号端子は、同軸ケーブルを挟んで前記絶縁本体内に設置され、該絶縁本体は外部導体内に収納され、さらに、前記カバー体が、前記外部導体及び同軸ケーブル上を被覆して挟み、そのうち、前記外部導体の側面に少なくとも一つの軸孔を設け、且つ、前記抜き取り装置末端部に、前記軸孔に相対する突起部をそれぞれ設置し、該突起部を前記軸孔に軸着し、該抜き取り装置とコネクタ上部で引き抜き空間を形成したことを特徴とする、小型同軸ケーブルコネクタ。
【請求項６】
前記抜き取り装置が、円形、方形、楕円形、リング形のうちの一つであり、引く力を受けることができる形状である、請求項５に記載の小型同軸ケーブルコネクタ。
【請求項７】
前記抜き取り装置の材質が、金属、プラスチック、ゴム、弾性線材のうちの一つであり、引く力を受けることができる形状である、請求項５に記載の小型同軸ケーブルコネクタ。
【請求項８】
前記導体の外体部及びカバー体上に軸孔に相対する通孔を設け、該通孔上方に突起片を設置し、さらに下方に突起角を設け、該突起片と突起角により、前記抜き取り装置の枢動を一定角度内に制限した、請求項１または５に記載の小型同軸ケーブルコネクタ。
【発明の詳細な説明】
【技術分野】
【０００１】
本発明は、抜き取り装置を備えた小型同軸ケーブルコネクタに関し、特に、小型同軸ケーブルコネクタの製品体積が小さいために施力が難しくなり、接続先である座体との分離が困難となる問題を解決する、同軸ケーブルコネクタに関する。
【背景技術】
【０００２】
従来の小型同軸ケーブルコネクタは、図１及び図２に示すように、主に、信号端子１０、絶縁体２０、導体３０を組み立てて成り、そのうち、前記信号端子１０は、下方が開口した角型を呈し、該信号端子１０は、帯状の金属材料を加工して成るフレーム１１に相対し、一定間隔で設置され、該信号端子１０は、溶接部１２及び導接部１３を備え、前端部に突起した突起柱１４を設け、前記絶縁体２０の前端部に設置された押し片２２を支持し、さらに、後端部には一対の突起片１５を設置し、該突起片１５間に開口部１５Aを形成し、該開口部１５Aに同軸ケーブルB前端の中心導線B１を設置し、溶接により該同軸ケーブルBの中心導線B1を、前記信号端子１０の溶接部１２上に溶接し、さらに、溶接後の該信号端子１０を前記絶縁体２０に設けた座孔２１内に設置し、該絶縁体２０をさらに前記導体３０の第一導体３０１の座槽３０４内に設置する。第一導体３０１と第二導体３０２は一体成形で形成され、該第一導体３０１と第二導体３０２は、垂直接続面３０３により接続されており、相互に垂直９０度を形成する。前述の組立て完了時において、さらに、前記第一導体３０１に対し垂直に直立した前記第二導体３０２を、該第一導体３０１に向って折り曲げ、最後に、該第二導体３０２の両側面に設けた前挟み部３０５、中挟み部３０６、後挟み部３０７をそれぞれ前記第一導体３０１及び同軸ケーブルBを挟んで圧着する。
【０００３】
前述の一般的な小型同軸ケーブルコネクタは、コネクタとしての機能は得られるものの、該コネクタの接続先である座体は基板上に溶接されており、また、該コネクタと座体の接合力が強く、コネクタと座体を分離させる際、コネクタに対し上方向へかなりの力を施さなければ抜き取ることができないが、小型同軸ケーブルコネクタは、製品の体積が小さいため、施力が難しく、抜き取りが困難である。また、同軸ケーブルへの施力が不適当な場合、コネクタと同軸ケーブルの断裂や破損を招き、さらには基板上の回路に傷をつけ損傷させてしまうこともあり、改善が待たれている。
【発明の開示】
【発明が解決しようとする課題】
【０００４】
前記の問題に鑑みて、本発明は、抜き取り装置を設置することにより、小型同軸ケーブルコネクタの製品体積が小さいために施力が難しく、接続先の座体との分離が困難な状況を解決し、小型同軸ケーブルコネクタの産業上の利用を促進することができる、抜き取り装置を備えた
小型同軸ケーブルコネクタの提供を目的とするものである。          
【課題を解決するための手段】
【０００５】
本発明は、信号端子、絶縁本体、導体及び抜き取り装置から成り、前記信号端子は同軸ケーブルを挟んで保持し、前記絶縁本体内に設置され、前記導体は前記絶縁本体を収納する筒状部と、該筒状部に向って折り曲げることのできる外体部を備え、さらに、該筒状部の側面に少なくとも一つの軸孔を設け、前記抜き取り装置の末端に前記軸孔に相対する突起部を設置し、該突起部を前記軸孔に軸着し、該抜き取り装置とコネクタ上端に抜き取り空間を形成し、使用者が指又は先の尖った工具を該抜き取り空間内に穿入し、該抜き取り装置を上方向に引くことにより、コネクタ全体を接続先である座体から安定した状態で抜き取る。
【発明の効果】
【０００６】
本発明によれば、以下のような利点を得ることができる。
１． 前述の抜き取り装置の設計により、コネクタを座体から安定した状態で抜き取ることができ、便利且つ迅速に抜き取りを行なうことができるだけでなく、基板上の回路やコネクタ、同軸ケーブルへの損傷を回避することができる。
２． 前述の抜き取り装置は左右に動かすことができるため、使用しないときは、下方へ押し、コネクタに密接させることができ、無駄な空間を占有せず、美観を維持することができる。
３． さらに、突起片と突起角を設置することにより、前記抜き取り装置を一定角度内で一定方向にのみ動くよう制限することができ、抜き取り装置の不要な動きを制限することができる。
【発明を実施するための最良の形態】
【０００７】
以下、本発明の同軸ケーブルコネクタについて、最良の実施形態を図面に基づき、詳細に説明する。
【実施例１】
【０００８】
図３及び図４に示すように、本発明は、信号端子１、絶縁本体２、導体３、抜き取り装置４から成り、前記信号端子２は、同軸ケーブルAを挟んで前記絶縁本体２内に設置され、前記導体３は、前記絶縁本体２の筒状部３１を収納し、該筒状部３１は、両側適所にそれぞれ軸孔３１１を備え、且つ、前記抜き取り装置４は、末端部に前記軸孔３１１に相対する突起部４１をそれぞれ備え、該突起部４１は前記軸孔３１１に軸着され、前記抜き取り装置４とコネクタ上部間に抜き取り空間４２を形成し、使用者が指または先の尖った工具を該抜き取り空間４２内に穿入し、上方向に施力して該抜き取り装置４を引くことにより、コネクタ全体を安定した状態で接続先の座体６から引き抜くことができる。
【０００９】
前述のように、本発明によれば、コネクタを基板上に溶接されている接続先の座体６から分離するとき、指や先の尖った工具を抜き取り装置４の抜き取り空間４２内に穿入し、上方向に該抜き取り装置４を引くことにより、前記導体３上に平均的に施力され、座体６に嵌合されているコネクタを安定した状態で引き抜き、コネクタと座体６を分離させることができ、さらに、コネクタと同軸ケーブルに損傷を与えることを避けることができる。
【実施例２】
【００１０】
図５に本発明の抜き取り装置の実施例二を示す。前記導体３の筒状部３１の一側面の適切な位置に軸孔３１１を設け、一端に突起部４１を備えた抜き取り装置４を軸着し、該抜き取り装置４の別の一端に施力部４３を形成し、使用者は該背力部４３を利用し、指または先の尖った工具で上方向に該抜き取り装置４を引くことにより、前記導体３上に平均的に施力され、座体６に嵌合されているコネクタを安定した状態で引き抜くことができる。
【００１１】
図６に示すように、前記抜き取り装置４の形状は、円形、方形、楕円形等、各種の引っ張り可能な形状とすることができ、また、該抜き取り装置４の材質は、鉄合金、プラスチック、ゴム、弾性線材等、引く力を受けることのできる材質とする。
図７に示すように、前記抜き取り装置４は左右に動かすことができ、使用しないときには下方へ倒し、コネクタ上に密着させることができ、空間を取らず、美観を保つことができる。
【実施例３】
【００１２】
図８及び図９に本発明の実施例三を示す。本実施例は、信号端子１a、絶縁本体２a、外部導体７、抜き取り装置４a及びカバー体５から成り、前記信号端子１aは、同軸ケーブルAを挟んで前記絶縁本体２a内に設置され、該絶縁本体２aは、前記外部導体７内に収納され、さらに、前記カバー体５が、前記外部導体７及び同軸ケーブルA上を被覆して挟み込み、そのうち、前記外部導体７の両側の適所にそれぞれ軸孔７１を設け、且つ、前記抜き取り装置４aの末端部にそれぞれ前記軸孔７１に相対する突起部４１aを設置し、該突起部４１aを前記軸孔７１に軸着し、前記抜き取り装置４aとコネクタ上部間に抜き取り空間４２aを形成し、使用者が指または先の尖った工具を該抜き取り空間４２a内に穿入し、上方向に施力して該抜き取り装置４aを引くことにより、コネクタ全体を安定した状態で接続先の座体６から引き抜くことができる。
【００１３】
図１０及び図１１に示すように、前記導体３の外体部３２及びカバー体５上に、前記軸孔３１１、７１と相対する通孔８を設け、該通孔８上方に突起片８１を設けると共に、該通孔８下方に突起角８２を設け、該突起片８１と突起角８２により、前記抜き取り装置４、４aの動きを制限し、適当な角度内で一定方向に前後に枢動するように制限してもよい。
【図面の簡単な説明】
【００１４】
【図１】従来の小型同軸ケーブルコネクタの立体分解図である。
【図２】従来の小型同軸ケーブルコネクタの側面断面図である。
【図３】本発明の小型同軸ケーブルコネクタの実施例一を示す側面図である。
【図４】本発明の小型同軸ケーブルコネクタの実施例一の断面図である。
【図５】本発明の小型同軸ケーブルコネクタの実施例二を示す断面図である。
【図６】本発明の抜き取り装置の別の形状を示す断面図である。
【図７】本発明の抜き取り装置の枢動を示す側面図である。
【図８】本発明の小型同軸ケーブルコネクタの実施例三を示す断面図である。
【図９】本発明の小型同軸ケーブルコネクタの実施例三の側面図である。
【図１０】本発明の実施例一、二の抜き取り装置に動作制限を加えた状態を示す側面図である。
【図１１】本発明の実施例三の抜き取り装置に動作制限を加えた状態を示す側面図である。
【符号の説明】
【００１５】
１、１a      信号端子
２、２a      絶縁本体
３          導体
３１        筒状部
３１１       軸孔  
３２        外体部
４、４a      抜き取り装置
４１、４１a   突起部
４２、４２a   抜き取り空間
４３        施力部
５         カバー体
６         座体
７         外部導体
７１        軸孔
８         通孔
８１        突起片
８２        突起角
A         同軸ケーブル
１０        信号端子
１１        フレーム
１２        溶接部
１３        導接部
１４        突起柱
１５        突起片
１５A      開口部
２０        絶縁体
２１        座孔
２２        押し片
３０        導体
３０１      第一導体
３０２      第二導体
３０３      導接面
３０４      座槽
３０５      前挟み部
３０６      中挟み部
３０７      後ろ挟み部
B         同軸ケーブル
B１        中心導体
【図１】
2005142035.tif 000003
【図２】
2005142035.tif 000004
【図３】
2005142035.tif 000005
【図４】
2005142035.tif 000006
【図５】
2005142035.tif 000007
【図６】
2005142035.tif 000008
【図７】
2005142035.tif 000009
【図８】
2005142035.tif 000010
【図９】
2005142035.tif 000011
【図１０】
2005142035.tif 000012
【図１１】
2005142035.tif 000013